(57)【要約】【課題】正面からの視認性と側面からの視認性との差異を低減し、液晶表示装置の画質を向上させるとともに、液晶の応答速度を向上させる。【解決手段】印加された入力映像データのうち、一つの入力階調レベルに基づいて第１及び第２の出力階調レベルを選択するデータ処理部６０１と、複数の階調基準電圧を生成して出力する階調電圧生成部８００と、を含み、第１及び第２の出力階調レベルは対応する第１及び第２の階調電圧として液晶表示装置の各画素に印加され、複数の階調基準電圧のうち、少なくとも一つは、液晶臨界電圧以下の値を有する。【選択図】図１
2006209127.tif 000002
【特許請求の範囲】
【請求項１】
印加された入力映像データのうち、一つの入力階調レベルに基づいて第１及び第２出力階調レベルを選択するデータ処理部と、
複数の階調基準電圧を生成して出力する階調電圧生成部と、を含み、
前記第１及び第２出力階調レベルは、対応する第１及び第２階調電圧として液晶表示装置の各画素に印加され、
前記複数の階調基準電圧のうち、少なくとも一つは、液晶臨界電圧以下の値を有することを特徴とする液晶表示装置。
【請求項２】
前記第２出力階調レベルは、前記第１出力階調レベルより低いことを特徴とする請求項１に記載の液晶表示装置。
【請求項３】
前記階調の範囲は、０階調乃至２５５階調であることを特徴とする請求項１に記載の液晶表示装置。
【請求項４】
２５６個の前記階調基準電圧のうち、０階調乃至１８０階調の範囲に該当する階調基準電圧は、前記液晶臨界電圧以下の値を有することを特徴とする請求項３に記載の液晶表示装置。
【請求項５】
前記複数の階調基準電圧のうち、少なくとも一つは、飽和領域に属する階調に対応することを特徴とする請求項３に記載の液晶表示装置。
【請求項６】
前記飽和領域に属する階調の範囲は、２３０階調乃至２５５階調であることを特徴とする請求項５に記載の液晶表示装置。
【請求項７】
前記飽和領域は、液晶に印加される電圧による透過率の変化が２０％／Ｖ以下の領域であることを特徴とする請求項５に記載の液晶表示装置。
【請求項８】
前記階調電圧生成部は、駆動電圧に直列連結された複数の抵抗器を含むことを特徴とする請求項１に記載の液晶表示装置。
【請求項９】
前記抵抗器の抵抗値は、前記各階調基準電圧の値を変化させることを特徴とする請求項８に記載の液晶表示装置。
【請求項１０】
前記駆動電圧は、前記各階調基準電圧の値を制御することを特徴とする請求項８に記載の液晶表示装置。
【請求項１１】
前記液晶表示装置は、正面ガンマ曲線と類似する側面ガンマ曲線を有することを特徴とする請求項１に記載の液晶表示装置。
【請求項１２】
前記第１出力階調レベルは、前記入力階調レベル以上の値を有することを特徴とする請求項１に記載の液晶表示装置。
【請求項１３】
前記第２出力階調レベルは、前記入力階調レベル以下の値を有することを特徴とする請求項１に記載の液晶表示装置。
【請求項１４】
スイッチング素子を各々含む画素と、
印加された入力映像データの一つのディジタル入力階調レベルに基づいて、第１ディジタル出力階調レベルと第２ディジタル出力階調レベルを生成する信号制御部と、を有することを特徴とする表示装置。
【請求項１５】
前記第２ディジタル出力階調レベルは、前記第１ディジタル出力階調レベルより低いことを特徴とする請求項１４に記載の表示装置。
【請求項１６】
前記第１ディジタル出力階調レベルと前記第２ディジタル出力階調レベルに各々対応する第１階調電圧と第２階調電圧をデータとして前記画素に出力するデータ駆動部をさらに含むことを特徴とする請求項１５に記載の表示装置。
【請求項１７】
前記第１及び第２階調電圧が前記画素に順次に出力されることを特徴とする請求項１６に記載の表示装置。
【請求項１８】
前記画素は第１及び第２の副画素を含み、前記第１階調電圧は前記第１の副画素に印加され、前記第２階調電圧は前記第２の副画素に印加されることを特徴とする請求項１６に記載の表示装置。
【請求項１９】
前記データ駆動部は、前記第１階調電圧を前記第１出力映像データとして伝達し、前記第２階調電圧を第２出力映像データとして伝達することを特徴とする請求項１６に記載の表示装置。
【請求項２０】
前記データ駆動部は、前記第１階調電圧を前記画素に順次に伝達した後、前記第２階調電圧を前記画素に伝達することを特徴とする請求項１６に記載の表示装置。
【請求項２１】
前記画素のスイッチング素子にゲート信号を伝達するゲート線と、
前記スイッチング素子に連結されており、前記データ駆動部からの第１及び第２階調電圧のうち、少なくとも一つを前記画素のスイッチング素子に伝達するデータ線と、をさらに含むことを特徴とする請求項１６に記載の表示装置。
【請求項２２】
前記ディジタル出力階調レベルの範囲は、０乃至２５５階調であることを特徴とする請求項１６に記載の表示装置。
【請求項２３】
前記データ駆動部に電気的に連結されており、複数の階調基準電圧を生成する階調電圧生成部をさらに含み、
前記データ駆動部から出力された前記各々の第１及び第２階調電圧は、前記複数の階調基準電圧から選択されたことを特徴とする請求項１６に記載の表示装置。
【請求項２４】
少なくとも一つの前記階調基準電圧は、液晶臨界電圧より低いことを特徴とする請求項２３に記載の表示装置。
【請求項２５】
前記複数の階調基準電圧のうち、０階調乃至８０階調に該当する階調基準電圧は、前記液晶臨界電圧以下の値を有することを特徴とする請求項２４に記載の表示装置。
【請求項２６】
前記複数の階調基準電圧のうち、少なくとも一つは、飽和領域に対応することを特徴とする請求項２３に記載の表示装置。
【請求項２７】
前記飽和領域に対応する階調の範囲は、２３０階調乃至２５５階調であることを特徴とする請求項２６に記載の表示装置。
【請求項２８】
前記飽和領域は、液晶に印加される電圧による透過率の変化が２０％／Ｖ以下の領域であることを特徴とする請求項２６に記載の表示装置。
【請求項２９】
前記データ駆動部により出力される前記第１及び第２階調電圧の大体の平均が前記画素によって表示されることを特徴とする請求項２３に記載の表示装置。
【請求項３０】
前記第１及び第２ディジタル出力階調レベルの印加による前記画素の平均正面透過率が、前記入力階調レベルの印加による画素の正面透過率と実質的に同一であることを特徴とする請求項２９に記載の表示装置。
【請求項３１】
画素を含む表示装置の駆動方法であって、
前記画素により表示される輝度（階調）レベルを示すディジタル映像データを受信する段階と、
前記ディジタル映像データを一対の第１及び第２輝度（階調）レベルに変換する段階と、を含み、
前記第１輝度（階調）レベルは、前記第２輝度（階調）レベルより低いことを特徴とする表示装置の駆動方法。
【請求項３２】
前記第１及び第２輝度（階調）レベルは、ルックアップテーブルに記憶された値に基づいて決められることを特徴とする請求項３１に記載の表示装置の駆動方法。
【請求項３３】
前記第１輝度（階調）レベルを第１アナログ階調電圧に変換する段階と、
前記第２輝度（階調）レベルを第２アナログ階調電圧に変換する段階と、
前記第１及び第２アナログ階調電圧を前記画素に印加する段階と、をさらに含むことを特徴とする請求項３１に記載の表示装置の駆動方法。
【請求項３４】
前記第１アナログ階調電圧は、前記第２アナログ階調電圧が前記画素に印加される前に前記画素に印加されることを特徴とする請求項３３に記載の表示装置の駆動方法。
【請求項３５】
前記画素は、第１及び第２の副画素を含み、前記第１アナログ階調電圧は前記第１の副画素に印加され、前記第２アナログ階調電圧は前記第２の副画素に印加されることを特徴とする請求項３３に記載の表示装置の駆動方法。
【請求項３６】
複数の階調基準電圧を生成する段階をさらに含み、
前記各々の第１及び第２アナログ階調電圧は、前記複数の階調基準電圧から選択されることを特徴とする請求項３１に記載の表示装置の駆動方法。
【請求項３７】
前記複数の階調基準電圧のうち、少なくとも一つは液晶臨界電圧より低いことを特徴とする請求項３６に記載の表示装置の駆動方法。
【発明の詳細な説明】
【技術分野】
【０００１】
本発明は、液晶表示装置、表示装置、及び表示装置の駆動方法に関する。
【背景技術】
【０００２】
一般的な液晶表示装置（ＬＣＤ）は、画素電極及び共通電極が備えられた二つの表示板と、その間に挿入される誘電率異方性を有する液晶層と、を含む。画素電極は、行列状に配置され、薄膜トランジスタ（ＴＦＴ）などのスイッチング素子に連結されて一行ずつ順次データ電圧を印加される。共通電極は、画素電極とは異なる表示板または同一表示板に備えられて共通電圧を印加される。画素電極、共通電極、及びその間の液晶層は、回路的に眺めると、液晶蓄電器（コンデンサ）を形成し、液晶蓄電器はこれに連結されたスイッチング素子と協働して画素を構成する基本単位となる。
【０００３】
このような液晶表示装置では、二つの電極に電圧を印加して液晶層に電界を生成し、この電界の強さを調節して液晶層を通過する光の透過率を調節することによって所望の画像を得る。
【０００４】
このような液晶表示装置、特に、垂直電界を使用する液晶表示装置の場合、視野角によって液晶の光学位相遅れが変わり、正面での光透過率特性と側面での光透過率特性とが異なるため、正面での視認性特性と側面での視認性特性とが異なってくる。
【０００５】
例えば、液晶表示装置で各階調別に光の透過率を測定してみると、低い階調の場合には、側面に近づくほど光透過率が増加するが、高い階調の場合には側面に近づくほど光透過率が減少する。このように、見る角度で変わる光透過率の違いによって、側面に近づくほど各階調間の透過率の差が減少して視認性が悪くなる。
【０００６】
側面からの視認性の低下を減少させるために、一つの画素を二つの副画素に分割して副画素の液晶蓄電器を蓄電器に連結したり、あるいは、二つのうち、一つの副画素に所定の電圧を周期的に印加したりすることによって、二つの液晶蓄電器に充電される電圧を異ならせて視認性を向上させる方法が提示された。
【０００７】
しかし、この方式の場合、二つの液晶蓄電器に充電される電圧の比が、多様な蓄電器の容量によって決められるため、各階調に適した電圧を与えることができず、このために視認性改善に限界を生じる。
【発明の開示】
【発明が解決しようとする課題】
【０００８】
本発明が目的とする技術的課題は、正面での視認性と側面での視認性との差異を低減させ、液晶表示装置の画質を向上させることである。
【０００９】
本発明の他の技術的課題は、液晶の応答速度を向上させることである。
【課題を解決するための手段】
【００１０】
本発明の一つの特徴による液晶表示装置は、印加された入力映像データのうち、一つの入力階調レベルに基づいて、第１及び第２出力階調レベルを選択するデータ処理部と、複数の階調基準電圧を生成して出力する階調電圧生成部と、を含み、前記第１及び第２出力階調レベルは対応する第１及び第２階調電圧として液晶表示装置の各画素に印加され、前記複数の階調基準電圧のうち、少なくとも一つは液晶臨界電圧以下の値を有する。
【００１１】
前記第２出力階調レベルは前記第１出力階調レベルより低い方が好ましい。
【００１２】
前記基準階調電圧の範囲は、０乃至２５５階調であるのも可能である。
【００１３】
前記２５６個の階調基準電圧のうち、０階調乃至１８０階調の範囲に該当する階調基準電圧は前記液晶臨界電圧以下の値を有するのが望ましい。
【００１４】
前記複数の階調基準電圧のうち、少なくとも一つは飽和領域に属する階調に対応するのが望ましい。
【００１５】
前記飽和領域に属する階調の範囲は、２３０階調乃至２５５階調でありうる。
【００１６】
前記の飽和領域は、液晶に印加される電圧（単位Ｖ）による透過率（単位％）の変化が２０％／Ｖ以下の領域でありうる。
【００１７】
前記階調電圧生成部は、駆動電圧に直列連結された複数の抵抗器を含むことができる。
【００１８】
前記抵抗器の抵抗値は、前記各階調基準電圧の値を変化させることができる。
【００１９】
前記駆動電圧は、前記各階調基準電圧の値を制御するのが望ましい。
【００２０】
前記液晶表示装置は、正面ガンマ曲線と類似する側面ガンマ曲線を有するのが好ましい。
【００２１】
前記第１出力階調レベルは、前記入力階調レベルより大きい方が望ましい。
【００２２】
前記第２出力階調レベルは前記入力階調レベルより小さい方が望ましい。
【００２３】
本発明の他の特徴による表示装置は、スイッチング素子を各々含む画素と、印加された入力映像データのうち、一つのディジタル入力階調レベルに基づいて、第１ディジタル出力階調レベルと第２ディジタル出力階調レベルを生成する信号制御部と、を含む。
【００２４】
前記第２ディジタル出力階調レベルは、前記第１ディジタル出力階調レベルより低い方がよい。
【００２５】
前記第１ディジタル出力階調レベルと前記第２ディジタル出力階調レベルに各々対応する第１階調電圧と第２階調電圧をデータ電圧として前記画素に出力するデータ駆動部をさらに含むことができる。
【００２６】
前記第１及び第２階調電圧が前記画素に順次に出力されることができる。
【００２７】
前記画素は第１及び第２の副画素を含み、前記第１階調電圧は前記第１の副画素に印加され、前記第２階調電圧は前記第２の副画素に印加されることができる。
【００２８】
前記データ駆動部は、前記第１出力階調電圧を前記第１出力映像データとして伝達し、前記第２出力階調電圧を第２出力映像データとして伝達するのが望ましい。
【００２９】
前記データ駆動部は、前記第１出力階調電圧を前記画素に順に伝達した後、前記第２出力階調電圧を前記画素に伝達するのが望ましい。
【００３０】
前記表示装置は、前記画素のスイッチング素子にゲート信号を伝達するゲート線と、前記スイッチング素子に連結されており、前記データ駆動部からの第１及び第２階調電圧のうち、少なくとも一つを前記画素のスイッチング素子に伝達するデータ線と、をさらに含むことができる。
【００３１】
前記ディジタル出力階調レベルの範囲は、０乃至２５５階調でありうる。
【００３２】
前記表示装置は、前記データ駆動部に電気的に連結されており、複数の階調基準電圧を生成する階調電圧生成部をさらに含み、前記データ駆動部から出力された前記の各々の第１及び第２階調電圧は、前記複数の階調基準電圧から選択されるのがよい。
【００３３】
前記少なくとも一つの階調基準電圧は、液晶臨界電圧より低いことが好ましい。
【００３４】
前記複数の階調基準電圧のうち、０階調乃至８０階調に該当する階調基準電圧は前記液晶臨界電圧以下の値を有するのが望ましい。
【００３５】
前記複数の階調基準電圧のうち、少なくとも一つは飽和領域に対応するのが望ましい。
【００３６】
前記飽和領域に対応する階調の範囲は、２３０階調乃至２５５階調の範囲であることができる。
【００３７】
前記飽和領域は、液晶に印加される電圧（単位Ｖ）による透過率（単位％）の変化が２０％／Ｖ以下でありうる。
【００３８】
前記データ駆動部によって出力される前記第１及び第２階調電圧の大体の平均が前記画素によって表示されることができる。
【００３９】
前記第１及び第２ディジタル出力階調レベルの印加による前記画素の平均正面透過率が、前記入力階調レベルの印加による画素の正面透過率と実質的に同一であることが望ましい。
【００４０】
本発明の他の特徴による表示装置の駆動方法は、画素を含む表示装置の駆動方法であって、前記画素によって表示される輝度（階調）レベルを示すディジタル映像データを受信する段階と、前記ディジタル映像データを一対の第１及び第２輝度（階調）レベルに変換する段階と、を含み、第１輝度（階調）レベルは、前記第２輝度（階調）より低い。
【００４１】
前記第１及び第２輝度（階調）レベルは、ルックアップテーブルに記憶された値に基づいて決められることができる。
【００４２】
前記駆動方法は、前記第１輝度（階調）レベルを第１アナログ階調電圧に変換する段階と、前記第２輝度（階調）レベルを第２アナログ階調電圧に変換する段階と、前記第１及び第２アナログ階調電圧を前記画素に印加する段階と、をさらに含むことができる。
【００４３】
前記第１アナログ階調電圧は、前記第２アナログ階調電圧が前記画素に印加される前に前記画素に印加されることがありうる。
【００４４】
前記画素は第１及び第２の副画素を含み、前記第１アナログ階調電圧は前記第１の副画素に印加され、第２アナログ階調電圧は第２の副画素に印加されることができる。
【００４５】
前記駆動方法は、複数の階調基準電圧を生成する段階をさらに含み、前記各々の第１及び第２アナログ階調電圧は、前記複数の階調基準電圧から選択されることが好ましい。
【００４６】
前記複数の階調基準電圧のうち、少なくとも一つは液晶臨界電圧より低いことがよい。
【発明の効果】
【００４７】
本発明によると、低階調群に対応する階調電圧が液晶臨界電圧（Ｖｔｈ）以下の値を有し、駆動電圧（Ｖｄｄ）の値を増加させて高階調群に対応する階調電圧の値を増加させるため、階調電圧の範囲が広くなる。従って、印加できるデータ電圧の選択幅が広くなるため、データ電圧を調整して液晶の応答速度を向上させることができる。
【００４８】
また、入力階調を、正面ガンマ曲線と類似の形態を有する側面ガンマ曲線を形成する一対の下位出力階調と上位出力階調とに変換して画素に割り当てるため、正面と側面での視認性の差異による画質悪化が緩和される。
【００４９】
また、階調電圧の下限と上限を広げて、階調電圧の範囲を増大させたため、データ電圧の選択幅が広くなる。これによって、所望の状態で実際に液晶分子が配列できるデータ電圧を選択して印加するので、液晶の応答速度が向上し、画質が良くなる。
【発明を実施するための最良の形態】
【００５０】
以下、添付の図面を参照して本発明の実施の形態について、本発明の属する技術分野における通常の知識を有する者が容易に実施できるように詳細に説明する。
【００５１】
図面では、複数の層及び領域を明確に表示するために厚さを拡大して示した。また、明細書全体にわたって類似部分については、同一の図面符号を付けた。層、膜、領域、及び板などの部分が他の部分の“上”にあるとする時、これは他の部分の“直上”にある場合だけでなく、その間に他の部分がある場合も含む。反対に、ある部分が他の部分の“直上”にあるとする時には、その間に他の部分がないことを意味する。
【００５２】
次に、本発明の実施の形態による表示装置及び表示装置の駆動装置について、図面を参照して詳細に説明する。
【００５３】
図１は、本発明の一実施の形態による液晶表示装置のブロック図であり、図２は、本発明の一実施の形態による液晶表示装置の一の画素に対応する等価回路図である。
【００５４】
図１に示したように、本実施の形態による液晶表示装置は、液晶表示板組立体３００、これに連結されたゲート駆動部４００及びデータ駆動部５００、データ駆動部５００に連結された階調電圧生成部８００、ならびにこれらを制御する信号制御部６００、を含む。
【００５５】
液晶表示板組立体３００は、等価回路の観点から、複数の表示信号線（Ｇ１−Ｇｎ，Ｄ１−Ｄｍ）と、これに連結されてほぼ行列状に配置された複数の画素を含む。また、液晶表示板組立体３００は、互いに対向する下部及び上部表示板１００，２００と、その間に挿入されている液晶層３と、を含む。
【００５６】
表示信号線（Ｇ１−Ｇｎ，Ｄ１−Ｄｍ）は、ゲート信号（“走査信号”とも言う）を伝達する複数のゲート線（Ｇ１−Ｇｎ）と、データ信号を伝達するデータ線（Ｄ１−Ｄｍ）と、を含む。ゲート線（Ｇ１−Ｇｎ）は、相互にほとんど平行に、ほぼ行方向に伸び、データ線（Ｄ１−Ｄｍ）は、相互にほとんど平行に、ほぼ列方向に伸びる。
【００５７】
各画素は、表示信号線（Ｇ１−Ｇｎ，Ｄ１−Ｄｍ）に連結されたスイッチング素子（Ｑ）と、これに連結された液晶蓄電器（ＣＬＣ）及び維持蓄電器（ＣＳＴ）と、を含む。維持蓄電器（ＣＳＴ）は、必要に応じて省略することができる。
【００５８】
各画素のスイッチング素子（Ｑ）は、下部表示板１００に備えられている薄膜トランジスタなどで構成され、ゲート線（Ｇ１−Ｇｎ）に連結されている制御端子と、データ線（Ｄ１−Ｄｍ）に連結されている入力端子と、液晶蓄電器（ＣＬＣ）及び維持蓄電器（ＣＳＴ）に連結されている出力端子と、を有する三端子素子である。
【００５９】
液晶蓄電器（ＣＬＣ）は、下部表示板１００の画素電極１９０と上部表示板２００の共通電極２７０とを二つの端子とし、二つの電極１９０，２７０間の液晶層３は、誘電体として機能する。画素電極１９０は、スイッチング素子（Ｑ）に連結され、共通電極２７０は、上部表示板２００の前面に形成されて共通電圧（Ｖｃｏｍ）を印加される。図２の場合とは異なって、共通電極２７０が下部表示板１００に備えられる場合もあり、この場合には二つの電極１９０，２７０のうち、少なくとも一つが線状または棒状に形成されることもある。
【００６０】
液晶蓄電器（ＣＬＣ）の補助的な役割を果たす維持蓄電器（ＣＳＴ）は、下部表示板１００に備えられた別個の信号線（図示せず）と画素電極１９０とが絶縁体を間に置いて重なって形成され、この別個の信号線には共通電圧（Ｖｃｏｍ）などの所定電圧が印加される。しかし、維持蓄電器（ＣＳＴ）は、絶縁体に媒介されて、画素電極１９０が図面で直上の前段ゲート線と重なって形成されてもよい。
【００６１】
一方、色表示を実現するためには、各画素が原色のうち、一つの原色を固有のものとして表示したり（空間分割）、各画素が時間によって交互に原色を表示するように（時間分割）したりして、これら原色の空間的及び／または時間的合計によって色相が認識されるようにする。原色の例としては、赤色、緑色、及び青色がある。
【００６２】
図２は、空間分割の一例として各画素が上部表示板２００の領域に、原色のうち一つの原色を示す色フィルター２３０を備える様子を示している。図２とは異なって、色フィルター２３０を下部表示板１００の画素電極１９０の上部または下部に形成することもできる。
【００６３】
液晶表示板組立体３００の二つの表示板１００，２００のうち、少なくとも一つの表示板の外側面には、光を偏光させる偏光子（図示せず）が装着されている。
【００６４】
階調電圧生成部８００は、画素の透過率と関連する二組の複数階調電圧を生成する。二組のうち、一組は共通電圧（Ｖｃｏｍ）に対して正（＋）の値を有し、他の一組は負（−）の値を有する。階調電圧生成部８００から出力される階調電圧の一部は、液晶臨界電圧以下の値を有する。本実施の形態による階調電圧生成部８００の詳細については後述する。
【００６５】
ゲート駆動部４００は、液晶表示板組立体３００のゲート線（Ｇ１−Ｇｎ）に連結され、外部からのゲートオン電圧（Ｖｏｎ）とゲートオフ電圧（Ｖｏｆｆ）との組み合わせからなるゲート信号をゲート線（Ｇ１−Ｇｎ）に印加するように、複数の集積回路で構成されることができる。
【００６６】
データ駆動部５００は、液晶表示板組立体３００のデータ線（Ｄ１−Ｄｍ）に連結され、階調電圧生成部８００からの階調電圧を選択し、データ電圧として画素に印加するように、複数の集積回路で構成することができる。
【００６７】
ゲート駆動部４００及びデータ駆動部５００は、複数の駆動集積回路チップの形態でそれぞれ液晶表示板組立体３００上に直接装着されたり、可撓性印刷回路膜（ＦＰＣ、図示せず）上に装着されて、ＴＣＰの形態で液晶表示板組立体３００に装着されたりすることもできる。また、これとは異なって、ゲート駆動部４００及びデータ駆動部５００は、表示信号線（Ｇ１−Ｇｎ，Ｄ１−Ｄｍ）及び薄膜トランジスタスイッチング素子（Ｑ）などと共に液晶表示板組立体３００に集積されてもよい。
【００６８】
信号制御部６００は、ゲート駆動部４００及びデータ駆動部５００などの動作を制御するものであって、データ処理部６０１及びルックアップテーブル６０２を含む。データ処理部６０１は、外部から入力され、入力階調（ディジタル入力階調レベル）を有する入力映像データ（ディジタル映像データ）（Ｒ，Ｇ，Ｂ）を、ルックアップテーブル６０２を利用して、下位出力映像データ（第２出力映像データ）と上位出力映像データ（第１出力映像データ）とに変換する。下位出力映像データは、入力階調未満の階調（輝度）のうち、一の階調（以下、下位出力階調（第２出力階調）と称する）を有する。上位出力映像データは、入力階調以上の階調のうち、一の階調（以下、上位出力階調（第１出力階調）と称する）を有する。なお、説明において、“入力階調未満と入力階調以上”の組み合わせの表現は、逆の“入力階調以上と入力階調未満”であっても、誤差範囲の変化があるだけで、実質的な変化はない。
【００６９】
次に、このような液晶表示装置の動作に対して詳細に説明する。
【００７０】
信号制御部６００は、外部のグラフィック制御機（図示せず）から入力映像信号（Ｒ，Ｇ，Ｂ）及びその表示を制御する入力制御信号、例えば、垂直同期信号（Ｖｓｙｎｃ）、水平同期信号（Ｈｓｙｎｃ）、メインクロック（ＭＣＬＫ）、及びデータイネーブル信号（ＤＥ）などが提供される。信号制御部６００の入力映像信号（Ｒ，Ｇ，Ｂ）及び入力制御信号に基づいて、入力映像信号（Ｒ，Ｇ，Ｂ）を液晶表示板組立体３００の動作条件に合わせて適切に処理し、ゲート制御信号（ＣＯＮＴ１）及びデータ制御信号（ＣＯＮＴ２）などを生成した後、ゲート制御信号（ＣＯＮＴ１）をゲート駆動部４００に送り出し、データ制御信号（ＣＯＮＴ２）と処理済み映像信号（ＤＡＴ）とをデータ駆動部５００に送り出す。
【００７１】
信号制御部６００のデータ処理には、入力映像データ（Ｒ，Ｇ，Ｂ）の入力階調に基づいて、ルックアップテーブル６０２に保存されている下位出力階調及び上位出力階調を選択し、これを空間分割方式及び／または時間分割方式で画素に割り当てることによって、出力映像データを生成することを含む。空間分割方式及び時間分割方式については後で詳細に説明する。
【００７２】
ゲート制御信号（ＣＯＮＴ１）は、走査開始を指示する走査開始信号（ＳＴＶ）と、ゲートオン電圧（Ｖｏｎ）の出力時間を制御する少なくとも一つのクロック信号と、を含む。また、ゲート制御信号（ＣＯＮＴ１）は、ゲートオン電圧（Ｖｏｎ）の持続時間を限定する出力イネーブル信号（ＯＥ）を含むことができる。
【００７３】
データ制御信号（ＣＯＮＴ２）は、一つの行の画素に対するデータの伝送を知らせる水平同期開始信号（ＳＴＨ）、データ線（Ｄ１−Ｄｍ）に該当データ電圧を印加するロード信号（ＬＯＡＤ）、及びデータクロック信号（ＨＣＬＫ）を含む。また、データ制御信号（ＣＯＮＴ２）は、共通電圧（Ｖｃｏｍ）に対するデータ電圧の極性（以下、“共通電圧に対するデータ電圧の極性”を短縮して“データ電圧の極性”と記す）を反転させる反転信号（ＲＶＳ）を含むことができる。
【００７４】
データ駆動部５００は、信号制御部６００からの映像データ（ＤＡＴ）（Ｒ，Ｇ，Ｂ）を受信し、信号制御部６００からのデータ制御信号（ＣＯＮＴ２）によって映像データ（ＤＡＴ）を階調電圧生成部８００から供給される階調電圧のうち選択されたアナログデータ電圧に変換する。信号制御部６００からのデータ制御信号（ＣＯＮＴ２）によって、データ駆動部５００は、一つの行の画素に対する映像データ（ＤＡＴ）を順次受信してシフトさせ、階調電圧生成部８００からの階調電圧のうち、各映像データ（ＤＡＴ）に対応する階調電圧を選択することによって、映像データ（ＤＡＴ）を階調電圧生成部８００から受信された階調電圧に対応するアナログデータ電圧に変換した後、これを当該データ線（Ｄ１−Ｄｍ）に印加する。
【００７５】
ゲート駆動部４００は、信号制御部６００からのゲート制御信号（ＣＯＮＴ１）によってゲートオン電圧（Ｖｏｎ）をゲート線（Ｇ１−Ｇｎ）に順次印加して、このゲート線（Ｇ１−Ｇｎ）に連結されたスイッチング素子（Ｑ）を導通させ、これによってデータ線（Ｄ１−Ｄｍ）に印加されたデータ電圧が、導通したスイッチング素子（Ｑ）を通って当該画素に印加される。
【００７６】
画素に印加されたデータ電圧と共通電圧（Ｖｃｏｍ）との差は、液晶蓄電器（ＣＬＣ）の充電電圧、つまり、画素電圧となる。液晶分子は、画素電圧の大きさによってその配列が変化し、そのために液晶層３を通過する光の偏光が変化する。このような偏光の変化は、表示板１００，２００に装着された偏光子（図示せず）によって光の透過率変化となる。
【００７７】
１水平周期（または“１Ｈ”）は、水平同期信号（Ｈｓｙｎｃ）及びゲートクロック（ＣＰＶ）の一周期と同じ時間単位であって、この時間単位ごとにデータ駆動部５００及びゲート駆動部４００は同じ動作を繰り返す。このような方式で、１フレームの間にすべてのゲート線（Ｇ１−Ｇｎ）に対して順次ゲートオン電圧（Ｖｏｎ）を印加して、すべての画素にデータ電圧を印加する。１フレームが終わると次のフレームが始まって、各画素に印加されるデータ電圧の極性が直前フレームでの極性と反対になるようにデータ駆動部５００に印加される反転信号（ＲＶＳ）の状態が制御される（“フレーム反転”）。この時、１フレーム内でも反転信号（ＲＶＳ）の特性によって、一つのデータ線を通して流れるデータ電圧の極性が変わったり（例：行反転及びドット反転など）、隣接データ線を通して同時に流れるデータ電圧の極性も互いに異なったりすることがある（例：列反転及びドット反転など）。
【００７８】
以下、添付の図面を参照して、本実施の形態における信号制御部６００のデータ処理部６０１のデータ変換について説明する。
【００７９】
まず、図３を参照して、ルックアップテーブル６０２に記憶されている階調変換の原則について詳細に説明する。
【００８０】
図３は、本発明の一実施の形態における補正前の正面ガンマ曲線及び側面ガンマ曲線と、補正後の正面ガンマ曲線及び側面ガンマ曲線とを示したグラフである。
【００８１】
図３に示したように、各階調に対して正面及び側面での透過率を測定して、正面でのガンマ曲線（Ａ）及び側面でのガンマ曲線（Ｂ）を得る。次に、各階調に対してその階調より低い下位階調とその階調（入力階調）より高い上位階調の対の中で、下位階調の正面透過率と上位階調の正面透過率の平均（以下、正面平均透過率）が、階調本来の正面透過率と同一であり、正面ガンマ曲線（Ａ）のような形態の平均正面ガンマ曲線（Ａ’）をなす下位階調と上位階調の対を探す。
【００８２】
このように探した複数対の階調組み合わせ（階調群）のうち、下位階調の側面透過率と上位階調の側面透過率の平均（以下、側面平均透過率とする）を計算して、正面ガンマ曲線と最も似た形状の平均側面ガンマ曲線（Ｂ’）を表す側面平均透過率を有する一対の階調を選択する。即ち、正面平均透過率が階調本来の正面透過率と同一である複数の上位及び下位階調対の中から、側面でのガンマ曲線歪が最小の対を選択する。
【００８３】
このように、各階調に対して正面ガンマ曲線と最も似た形状の平均側面ガンマ曲線（Ｂ’）を表す一対の下位階調及び上位階調を求めた後、これを下位出力階調及び上位出力階調として階調関数とし、ルックアップテーブル６０２に記憶させる。
【００８４】
各階調ごとに得られた下位出力階調と上位出力階調の一例を［表１］に示す。［表１］に示した総階調数は、６４階調である。
【００８５】
【表１】
2006209127.tif 000003
【００８６】
これとは異なって、一つの階調を三個以上の出力階調に変換することができ、この場合、これらの階調の正面平均透過率は、階調本来の正面透過率と同一で、側面平均透過率による平均側面ガンマ曲線は、正面ガンマ曲線と類似した形状を有する。この時、各出力階調が互いに異なる値を有したり、二つ以上の出力階調が等しい値を有したりすることができる。
【００８７】
このような方式を通して、入力映像データ（Ｒ，Ｇ，Ｂ）に対する複数の出力階調がルックアップテーブル６０２に記憶されている場合、信号制御部６００のデータ処理部６０１は、当該入力映像データ（Ｒ，Ｇ，Ｂ）に対応する複数の出力階調をルックアップテーブル６０２から読み取って当該画素に割り当てる。
【００８８】
これらの複数の出力階調（ディジタル出力階調）を当該画素に割り当てるための方式としては、空間分割方式と時分割方式とがある。
【００８９】
空間分割方式は、一つの画素を二つの副画素に分けた後、当該画素に対する入力映像データを、下位出力階調を有する下位出力映像データと上位出力階調を有する上位出力映像データとに変換して二つの副画素に各々割り当てるものである。
【００９０】
これに対して時間分割方式は、入力映像データのフレーム周波数（以下、入力フレーム周波数）と出力映像データのフレーム周波数（以下、出力フレーム周波数）を異ならせ、特に、出力フレーム周波数が高い場合には、これら入出力周波数の比に従って、各画素に対する複数の出力映像データを求め、これらを互いに異なる出力フレームに割り当てるものであり、必要ならば出力フレーム周波数を低くして、複数の入力フレームから一つの出力フレームのデータを合成することもできる。
【００９１】
このような時間分割方式の一例として、出力フレーム周波数を入力フレーム周波数の２倍に増加させたものを、図４を参照して説明する。
【００９２】
図４は、各画素に印加されるデータ信号の波形図であり、図４ａは、入力フレーム周波数が６０Ｈｚである変換前データ信号の波形図であり、図４ｂは、出力フレーム周波数が１２０Ｈｚである変換後のデータ信号の波形図である。
【００９３】
図４ａ及び図４ｂに示したように、入力フレーム周波数が約６０Ｈｚで、出力フレーム周波数がその２倍の約１２０Ｈｚである場合、各画素に対する入力映像データの入力階調に対して上位及び下位出力階調を求めて、該当する上位及び下位出力映像データを一つの出力フレームに１回ずつ割り当てる。
【００９４】
その一例として、図４ｂに示したように、第１フレームでは画素に上位出力映像データ（高レベル）を割り当て、第２フレームでは画素に下位出力映像データ（低レベル）を割り当てる。なお、両図の中レベル横線は、共通電圧Ｖｃｏｍを示す。それとは逆の時間関係で下位出力映像データを第１フレームに割り当て、上位出力映像データを第２フレームに割り当てることもできる。他の割当順序で、下位出力映像データと上位出力映像データとを画素に割り当てることもできることは当然である。
【００９５】
勿論、出力フレーム周波数が入力フレーム周波数の２倍である場合の他にも、偶数倍である場合には同一方式によって下位及び上位出力映像データを画素に割り当てることができ、二倍でない場合にも下位及び上位出力映像データを画素に割り当てることができる。このように、入力階調を時間平均透過率に基づいて、正面ガンマ曲線と類似した形状を有する側面ガンマ曲線を形成する一対の下位出力階調と上位出力階調に変換して画素に割り当てるため、正面と側面からの視認性の差異による画質悪化が低減される。
【００９６】
次に、図５乃至図７と図１とを再び参照して、本発明の一実施の形態による階調電圧生成部８００に関して説明する。
【００９７】
図５は、階調電圧生成部から出力される階調電圧の範囲を示したグラフであり、Ｌ１は、本発明の一実施の形態による階調電圧生成部から出力される階調電圧の範囲を示し、Ｌ２は、一般的な階調電圧生成部から出力される階調電圧の範囲を示している。
【００９８】
図６は、図５に示した階調電圧（Ｌ１）の範囲に基づいて出力される一対の上位階調と下位階調の例を示したグラフであり、図７は、図６の下位出力階調と上位出力階調に対する平均正面ガンマ曲線及び平均側面ガンマ曲線と、階調電圧の補正が行われない場合の平均正面ガンマ曲線（Ｓ１’）及び平均側面ガンマ曲線（Ｓ２’）とを示したグラフである。また、図８は、階調電圧生成部で正極性の複数階調電圧を生成する抵抗器列の一例を示した図である。
【００９９】
次に、図８を参照して階調電圧生成部８００の構造に関して説明する。
【０１００】
図８に示したように、電源電圧（Ｖｄｄ）とアースとの間に複数の分圧抵抗器（Ｒ１，Ｒ２，…，Ｒｐ）が直列に連結されている。これらの分圧抵抗器（Ｒ１，Ｒ２，…，Ｒｐ）の個数は、生成しようとする階調電圧の数に基づいて変わる。一例として、階調電圧の総数が２５６個である場合、分圧抵抗器の総数は２５７個であるが、これに限定されない。
【０１０１】
このような階調電圧生成部８００の分圧抵抗器（Ｒ１，Ｒ２，…，Ｒｐ）によって、電源電圧（Ｖｄｄ）は該当する大きさの電圧に順次分圧されて、複数の階調電圧（０Ｇ，１Ｇ，…，（ｑ−２）Ｇ，（ｑ−１）Ｇ，ｑＧ）としてデータ駆動部５００に印加される。ノーマリーブラック方式の液晶表示装置の場合、最低階調電圧（０Ｇ）はブラック階調のための階調電圧であり、最高階調電圧（ｑＧ）はホワイト階調のための階調電圧である。
【０１０２】
複数の階調電圧（０Ｇ，１Ｇ，…，（ｑ−２）Ｇ，（ｑ−１）Ｇ，ｑＧ）が印加されると、既に説明したように、データ駆動部５００は、信号制御部６００から印加される下位出力階調を有する下位出力映像データと上位出力階調を有する上位出力映像データに該当する階調電圧を各々選択し、下位データ電圧（第２階調電圧）及び上位データ電圧（第１階調電圧）として当該画素に印加する。
【０１０３】
一般に、一つの画素に一つのデータ電圧が印加される場合、ブラックを表示する最下位階調である０階調の場合でも、０階調に当たる輝度を出力しなければならないため、この時の階調電圧は、液晶臨界電圧（Ｖｔｈ）より大きい値を有するべきである。従って、階調電圧の下限は液晶臨界電圧を考慮して、液晶臨界電圧に近い値で決められる。また、最高階調に対する階調電圧を無条件に増加させる場合、輝度は増加するが、色相の鮮明度などに悪い影響を与えるために無条件に増加させることはできなくなる。なお、液晶臨界電圧とは、初期配列状態の液晶分子が動作される電圧である。
【０１０４】
一つの画素に下位データ電圧と上位データ電圧の二つのデータ電圧を印加して、平均側面ガンマ曲線が正面ガンマ曲線と類似する形状を持つようにする場合、液晶の応答速度が遅いため、設定された下位出力階調及び上位出力階調に対応する下位出力データ電圧及び上位出力データ電圧を印加しても、与えられた時間の間に該当する各画素電圧が目標電圧まで到達できず、このため下位出力階調と上位出力階調との差が所望の程度までは生じない。これによって、平均側面ガンマ曲線と正面ガンマ曲線との差が大きくなって、視認性が悪化する現象が起きる。
【０１０５】
従って、与えられた時間内に画素電圧が目標電圧に到達するように、出力階調に対する階調電圧を一層高めたり、さらに低くしたりして液晶の応答速度を高める必要がある。
【０１０６】
これは、一つの画素に下位データ電圧と上位データ電圧の二つのデータ電圧が印加されるため、下位データ電圧をさらに低く、または、上位データ電圧をさらに高く印加しても、残りの上位データ電圧及び下位データ電圧などを利用して補償することができるので可能になる。この場合、既に説明したように、下位階調及び上位階調による平均正面ガンマ曲線が入力階調に対する正面ガンマ曲線と同じで、平均側面ガンマ曲線が正面ガンマ曲線に最も類似した形状を有すればよい。
【０１０７】
このためには、階調電圧の下限と上限を調整して階調電圧の範囲を広げて、階調の間の電圧差を大きくして階調電圧の選択幅を大きくする。
【０１０８】
従って、階調電圧の下限を液晶臨界電圧以下にし、階調電圧上限も増加させて、階調電圧の全体範囲を増加させる。
【０１０９】
より具体的には、下位階調の０階調から所定階調までの低階調群に対応する階調電圧が液晶臨界電圧（Ｖｔｈ）以下の値を持つように定める。これによって、下位出力階調が低階調群に属する場合、この時の階調電圧は液晶臨界電圧（Ｖｔｈ）以下の値を持つようになり、この階調電圧が下位データ電圧として画素に印加される。この時、低階調群の範囲は約０階調から１８０階調までで、特に約０階調から８０階調までが望ましい。しかし、これに限定されずに階調の数及び階調電圧の範囲などによって変わることができる。このように低階調群の階調電圧が液晶臨界電圧（Ｖｔｈ）以下になって、液晶臨界電圧（Ｖｔｈ）によって限界が生じていた階調電圧の下限値が低くなり、実質的に階調電圧の範囲は広くなる。初期配列状態で、印加される画素電圧によって液晶分子が作動した後には、液晶臨界電圧（Ｖｔｈ）以下の電圧が印加されても印加される電圧に相当するだけの液晶分子の動作がなされる。
【０１１０】
この時、低階調群の階調電圧は、複数の分圧抵抗器（Ｒ１，Ｒ２，…，Ｒｐ）の値を調整して液晶臨界電圧（Ｖｔｈ）以下の値を持つようにする。
【０１１１】
また、複数の分圧抵抗器（Ｒ１，Ｒ２，…，Ｒｐ）に印加される駆動電圧（Ｖｄｄ）の大きさを増加させて、階調電圧の範囲を広げる。この場合、全体的に階調電圧の範囲が広くなるので、各階調電圧の間隔が広くなり、所定階調から最上位階調までである高階調群の階調電圧が高まり、階調電圧の上限値が高まる。
【０１１２】
この時、高階調群の範囲は、液晶に印加される電圧による透過率曲線（ＶＴ曲線）で飽和領域に基づいて決められるが、これはこの領域で特に液晶の応答速度も遅いため、これを補償するためである。この時、飽和領域は、ＶＴ曲線から印加される電圧による透過率変化が急激に減少する領域であり、最大透過率を１００％とすると、電圧（単位Ｖ）による透過率（単位％）の変化が約２０％／Ｖ以下である領域が望ましい。本実施の形態において、高階調群は（２５６個の階調の時）、約２３０階調から２５５階調までであるが、この階調範囲に限定されずに階調の数及び階調電圧の範囲などによって高階調群の範囲は変わることができる。
【０１１３】
このように、各分圧抵抗器（Ｒ１，Ｒ２，…，Ｒｐ）の抵抗値及び駆動電圧（Ｖｄｄ）の大きさなどを調整することによって、低階調群及び高階調群に対する階調電圧の範囲を広げて、全ての階調電圧の範囲を拡張させることによって、該当する大きさのデータ電圧よりはるかに低い、あるいは、はるかに高いデータ電圧の印加が可能になる。従って、範囲が広くなった階調電圧に基づいて、下位階調及び上位階調を再設定して、液晶分子の応答速度が増加するように、これら二つの階調間の差が少し大きくなって画素電圧が目標電圧に到達する時間が低減される。
【０１１４】
次に、図５を参照して、本実施の形態によって階調電圧の出力範囲を調整する場合に、各階調に対応する階調電圧の波形を説明する。
【０１１５】
図５のグラフ（Ｌ１）は、本実施の形態による各階調に対する階調電圧を示したものである。このとき、液晶臨界電圧（Ｖｔｈ）以下の値を有する低階調群の範囲は（２５６個の階調の時）、約０階調乃至８０階調である。
【０１１６】
これに比べて、グラフ（Ｌ２）は、一般的な各階調に対する階調電圧を示したものである。この時、液晶臨界電圧（Ｖｔｈ）以下の値を有する階調は存在しない。
【０１１７】
図５に示したように、Ｌ１での最小階調に対応する下限値（Ｖｍｉｎ）は、Ｌ２での下限値（Ｖｍｉｎ’）より△Ｖ１だけ更に低い値を持ち、Ｌ１での最大階調に対応する上限値（Ｖｍａｘ）は、Ｌ２での上限値（Ｖｍａｘ’）より△Ｖ２だけ更に高い値を持つため、階調電圧の範囲を大きく増加することが分かる。このように、図５のグラフ（Ｌ１）で示した階調電圧の範囲に基づいて、入力階調に対する下位出力階調（ＬＧ）及び上位出力階調（ＵＧ）の一例を図６に示す。図６に示したように、下位出力階調（ＬＧ）をさらに低い階調として選択し、上位出力階調（ＵＧ）をさらに高い階調として選択することによって、下位出力階調（ＬＧ）と上位出力階調（ＵＧ）との間の幅が広くなることが分かる。このような拡大された階調電圧範囲を持つ階調電圧に基づいて選択された下位出力階調（ＬＧ）及び上位出力階調（ＵＧ）は、図１に示したルックアップテーブル６０２に入力階調に対応するように記憶されている。
【０１１８】
図７は、本発明によって、階調電圧の範囲を補正した図６の下位出力階調及び上位出力階調に対する平均正面ガンマ曲線（Ｓ１）及び平均側面ガンマ曲線（Ｓ２）と、このような補正が行われない場合の平均正面ガンマ曲線（Ｓ１’）及び平均側面ガンマ曲線（Ｓ２’）とを示している。
【０１１９】
図７に示したように、平均側面ガンマ曲線（Ｓ２）が平均正面ガンマ曲線（Ｓ１）と類似した形状を持つことが分かる。図７に示したように、二つの平均側面ガンマ曲線（Ｓ２，Ｓ２’）を比較してみると、本発明による平均側面ガンマ曲線（Ｓ２）が平均正面ガンマ曲線（Ｓ１）にさらに近接するため、視認性指数が向上することが分かる。本発明による平均正面ガンマ曲線（Ｓ１）と平均側面ガンマ曲線（Ｓ２）による視認性指数は、約０．２０８であることに比べると、正面ガンマ曲線（Ｓ１’）と側面ガンマ曲線（Ｓ２’）による視認性指数は、約０．２４２と測定された。ここで、視認性指数とは、実際に目で見たとき、画面の変化がない程度を数字で示した指数であり、正面ガンマに比べて側面ガンマ歪量を各階調別に差を付けて変化量を測定し、これを数値に示したものである。なお、視認性指数は低い値ほど良好であると見なす。
【０１２０】
以上のとおり、本発明の好ましい実施の形態について詳細に説明したが、本発明の権利範囲はこれに限定されることなく、特許請求の範囲で定義している本発明の基本概念を利用した当業者の多様な変形及び改良形態も、本発明の権利範囲に属するものである。
【図面の簡単な説明】
【０１２１】
【図１】本発明の一実施の形態による液晶表示装置のブロック図である。
【図２】本発明の一実施の形態による液晶表示装置の一つの画素に対する等価回路図である。
【図３】本発明の一実施の形態による正面ガンマ曲線及び側面ガンマ曲線と平均正面ガンマ曲線及び平均側面ガンマ曲線とを示したグラフである。
【図４ａ】本発明の一実施の形態による入力データ信号と各画素に印加されるデータ信号の波形を比較する図である。
【図４ｂ】本発明の一実施の形態による入力データ信号と各画素に印加されるデータ信号の波形を比較する図である。
【図５】階調電圧生成部から出力される階調電圧の範囲を示したグラフであって、Ｌ１は、本発明の一実施の形態による階調電圧生成部から出力される階調電圧の範囲を示し、Ｌ２は、一般的な階調電圧生成部から出力される階調電圧の範囲を示したグラフである。
【図６】図５に示した階調電圧（Ｌ１）の範囲に基づいて出力される一対の上位階調（ＵＧ）と下位階調（ＬＧ）の例を示したグラフである。
【図７】図６の下位出力階調及び上位出力階調に対する平均正面ガンマ曲線及び平均側面ガンマ曲線と、階調電圧の補正が行われない場合の平均正面ガンマ曲線（Ｓ１’）及び平均側面ガンマ曲線（Ｓ２’）とを示したグラフである。
【図８】階調電圧生成部で正極性の複数階調電圧を生成する分圧型抵抗器列の一例を示した図である。
【符号の説明】
【０１２２】
３    液晶層
１００，２００    基板、
１９０    画素電極、
２３０    色フィルター、
２７０    共通電極、
３００    液晶表示板組立体、
４００    ゲート駆動部、
５００    データ駆動部、
６００    信号制御部、
８００    階調電圧生成部、
６０１    データ処理部、
６０２    ルックアップテーブル。
【図１】
2006209127.tif 000004
【図２】
2006209127.tif 000005
【図３】
2006209127.tif 000006
【図４ａ】
2006209127.tif 000007
【図４ｂ】
2006209127.tif 000008
【図５】
2006209127.tif 000009
【図６】
2006209127.tif 000010
【図７】
2006209127.tif 000011
【図８】
2006209127.tif 000012